(57)【特許請求の範囲】
【請求項１】
表面側に配置された透液性トップシートと裏面側に配置された不透液性バックシートとの間に吸収体が介在されてなる生理用ナプキンであって、
前記透液性トップシートの肌当接面から吸収体にかけて圧搾溝が付与されており、
前記圧搾溝は、排泄口当接部の前方及び後方に、幅方向中央線に対して対称的な形状の第１前方圧搾部及び第１後方圧搾部をそれぞれ有し、
前記第１前方圧搾部は、幅方向中央を通る長手方向に平行な線に対して３５〜６０度の角をなす、幅方向中央側から左斜め後ろ方向に延在する直線状の部分と、幅方向中央側から右斜め後ろ方向に延在する直線状の部分とを１つずつ有し、
前記第１後方圧搾部は、幅方向中央を通る長手方向に平行な線に対して３５〜６０度の角をなす、幅方向中央側から左斜め前方向に延在する直線状の部分と、幅方向中央側から右斜め前方向に延在する直線状の部分とを１つずつ有しており、
前記圧搾溝は、前記第１前方圧搾部の前方に、幅方向中央線に対して対称的に幅方向に延在しかつ幅方向中央線の幅方向各側の中間に内向きのくぼみ部を含む前方に凸の一体的な曲線状の圧搾部を有するとともに、前記第１後方圧搾部の後方に、幅方向中央線に対して対称的に幅方向に延在しかつ幅方向中央線の幅方向各側の中間に内向きのくぼみ部を含む後方に凸の一体的な曲線状の圧搾部を有する、
ことを特徴とする、生理用ナプキン。
【請求項２】
前記第１前方圧搾部及び前記第１後方圧搾部は、それぞれ幅方向中央において左右に離間せずに一体的に付与されている、請求項１記載の生理用ナプキン。
【請求項３】
前記第１前方圧搾部及び前記第１後方圧搾部は、それぞれ幅方向中央において左右に離間し、その離間距離が０．１〜４．０ｍｍである、請求項１記載の生理用ナプキン。
【請求項４】
前記第１前方圧搾部の前端から、前記第１後方圧搾部の後端までの長さが、８０〜１２０ｍｍであり、
前記第１前方圧搾部の前端と、前記第１前方圧搾部の前方における前記くぼみ部を含む圧搾部の前端との離間距離が４０〜６０ｍｍであり、
前記第１後方圧搾部の後端と、前記第１後方圧搾部の後方における前記くぼみ部を含む圧搾部の後端との離間距離が４０〜６０ｍｍである、
前記請求項１〜３のいずれか１項に記載の生理用ナプキン。
【請求項５】
前記第１前方圧搾部及び前記第１後方圧搾部の幅方向の長さが、それぞれ３５〜７５ｍｍである、請求項１〜４のいずれか１項に記載の生理用ナプキン。
【請求項６】
前記圧搾溝は、前記第１前方圧搾部の前方に第２前方圧搾部及び第３前方圧搾部をこの順に有するとともに、前記第１後方圧搾部の後方に第２後方圧搾部及び第３後方圧搾部をこの順に有し、
前記第２前方圧搾部は、幅方向中央線に対して対称的に幅方向に延在しかつ前方に凸の一体的な曲線状の圧搾部であり、
前記第２後方圧搾部は、幅方向中央線に対して対称的に幅方向に延在しかつ後方に凸の一体的な曲線状の圧搾部であり、
前記第３前方圧搾部が、前記第１前方圧搾部の前方における前記くぼみ部を含む圧搾部であり、
前記第３後方圧搾部が、前記第１後方圧搾部の後方における前記くぼみ部を含む圧搾部である、請求項１〜５のいずれか１項に記載の生理用ナプキン。
【請求項７】
前記圧搾溝は、前記第３前方圧搾部の前方に、幅方向中央線に対して対称的に幅方向に延在しかつ前方に凸の一体的な曲線状の第４前方圧搾部を有するとともに、前記第３後方圧搾部の後方に、幅方向中央線に対して対称的に幅方向に延在しかつ後方に凸の一体的な曲線状の第４後方圧搾部を有する、請求項６記載の生理用ナプキン。
【請求項８】
前記第３前方圧搾部は、幅方向中央線の幅方向各側において前記第１前方圧搾部の直線状の部分と平行な接線を引き得る部分を含んでおり、前記第３後方圧搾部は、幅方向中央線の幅方向各側において前記第１後方圧搾部の直線状の部分と平行な接線を引き得る部分を含んでいる、請求項６又は７記載の生理用ナプキン。
【請求項９】
前記圧搾溝は、排泄口当接部の幅方向外側の両側部に、長手方向に延在し、その長手方向中央近傍を頂点として幅方向中央側に湾曲する側方圧搾部を有する、請求項１〜８のいずれか１項に記載の生理用ナプキン。
【請求項１０】
前記第１前方圧搾部、第１後方圧搾部及び側方圧搾部が一体となって形成されている、請求項９記載の生理用ナプキン。
【発明の詳細な説明】
【技術分野】
【０００１】
本発明は、生理用ナプキンに関するものである。
【背景技術】
【０００２】
生理用ナプキン、パンティライナー、おりものシート、失禁パッド等の使い捨て吸収性物品は、表面側に配置された透液性トップシートと裏面側に配置されたバックシートとの間に吸収体が介在された構造が一般的である。この種の吸収性物品において、体液の表面上の拡散を防止する、吸収体にコシをもたせてヨレを防ぐ、吸収体中央部を隆起させて身体への密着性を高める、等の目的で、トップシートの肌当接面に圧搾溝（エンボス溝）を配する技術が知られている。
【０００３】
例えば、特許文献１に開示される吸収性物品においては、圧搾溝は排泄口当接部の幅方向両側に長手方向に延在するように付与されており、幅方向外側から幅方向中央への力に対して、圧搾溝が更に深く折れることで当該力が吸収され、排泄口当接部にヨレや変形が生じない構成となっている。
【先行技術文献】
【特許文献】
【０００４】
【特許文献１】特開２００８−２９５７１３号公報
【発明の概要】
【発明が解決しようとする課題】
【０００５】
生理用ナプキンは、特に昼用の生理用ナプキンにおいては、着用者は生理用ナプキンを装着したまま歩行等の運動をすることが通常である。歩行時においては、脚の動きにより生じる力は、幅方向外側から中央に向かう方向のみでなく、脚の交差時において、斜め前方から斜め後方、及び、斜め後方から斜め前方に生じる。その際、斜め方向にかかる力により、排泄口当接部分にヨレや変形が生じ、ヨレ等を生じた部分からの排泄液のモレが生じる恐れがあった。
本発明の課題は、歩行時等においても、排泄口当接部分にヨレ等の変形を生じず、当該ヨレ等によるモレが防止されるように構成された生理用ナプキンを提供することにある。
【課題を解決するための手段】
【０００６】
次に、上記課題を解決するための手段とそれらの作用効果を示す。
〔請求項１に係る発明〕
表面側に配置された透液性トップシートと裏面側に配置された不透液性バックシートとの間に吸収体が介在されてなる生理用ナプキンであって、
前記透液性トップシートの肌当接面から吸収体にかけて圧搾溝が付与されており、
前記圧搾溝は、排泄口当接部の前方及び後方に、幅方向中央線に対して対称的な形状の第１前方圧搾部及び第１後方圧搾部をそれぞれ有し、
前記第１前方圧搾部は、幅方向中央を通る長手方向に平行な線に対して３５〜６０度の角をなす、幅方向中央側から左斜め後ろ方向に延在する直線状の部分と、幅方向中央側から右斜め後ろ方向に延在する直線状の部分とを１つずつ有し、
前記第１後方圧搾部は、幅方向中央を通る長手方向に平行な線に対して３５〜６０度の角をなす、幅方向中央側から左斜め前方向に延在する直線状の部分と、幅方向中央側から右斜め前方向に延在する直線状の部分とを１つずつ有しており、
前記圧搾溝は、前記第１前方圧搾部の前方に、幅方向中央線に対して対称的に幅方向に延在しかつ幅方向中央線の幅方向各側の中間に内向きのくぼみ部を含む前方に凸の一体的な曲線状の圧搾部を有するとともに、前記第１後方圧搾部の後方に、幅方向中央線に対して対称的に幅方向に延在しかつ幅方向中央線の幅方向各側の中間に内向きのくぼみ部を含む後方に凸の一体的な曲線状の圧搾部を有する、
ことを特徴とする、生理用ナプキン。
【０００７】
（作用効果）
歩行時において、両脚の交差する動きによって、吸収性物品の斜め前方から斜め後方へ、及び、反対側の斜め後方から斜め前方へと力がかかることが想定される。このような力の方向に対し、交差するように排泄口当接部前方及び後方に圧搾溝を設けることにより、当該圧搾溝がより深く折れ曲がることで力が吸収され、排泄口当接部の形状を変形させることなく保つことができる。
ここでいう圧縮溝は、必ずしも熱エンボス等により連続的な線として付与されている必要はなく、破線状、ドット状に熱エンボス等が付与されていても他の部分より線状に凹んだ状態に維持されていればよい。
【０００８】
〔請求項２に係る発明〕
前記第１前方圧搾部及び前記第１後方圧搾部は、それぞれ幅方向中央において左右に離間せずに一体的に付与されている、請求項１記載の生理用ナプキン。
【０００９】
（作用効果）
第１前方圧搾部と第１後方圧搾部は、それぞれ左右対称に長手方向に対して斜めに配されるが、これら左右の圧搾部を離間させず一体的に付与することにより、当該圧搾部の幅方向中央近傍において、排泄口当接部からの排泄液の前後方向への流れがブロックされ、前後方向の伝いモレを軽減、防止することが可能となる。
【００１０】
〔請求項３に係る発明〕
前記第１前方圧搾部及び前記第１後方圧搾部は、それぞれ幅方向中央において左右に離間し、その離間距離が０．１〜４．０ｍｍである、請求項１記載の生理用ナプキン。
【００１１】
（作用効果）
左右の第１前方圧搾部及び第１後方圧搾部を、それぞれ離間させても、その離間距離が０．１〜４．０ｍｍであれば、斜め方向にかかる力を吸収するという当該圧搾部の効果を奏することは可能である。
【００１２】
〔請求項４に係る発明〕
前記第１前方圧搾部の前端から、前記第１後方圧搾部の後端までの長さが、８０〜１２０ｍｍであり、
前記第１前方圧搾部の前端と、前記第１前方圧搾部の前方における前記くぼみ部を含む圧搾部の前端との離間距離が４０〜６０ｍｍであり、
前記第１後方圧搾部の後端と、前記第１後方圧搾部の後方における前記くぼみ部を含む圧搾部の後端との離間距離が４０〜６０ｍｍである、
前記請求項１〜３のいずれか１項に記載の生理用ナプキン。
【００１３】
（作用効果）
特に排泄口当接部とその近傍として、長手方向に８０〜１２０ｍｍの範囲について、歩行時の脚の動きによるヨレや変形を防止することが好ましい。
【００１４】
〔請求項５に係る発明〕
前記第１前方圧搾部及び前記第１後方圧搾部の幅方向の長さが、それぞれ３５〜７５ｍｍである、請求項１〜４のいずれか１項に記載の生理用ナプキン。
【００１５】
（作用効果）
排泄口当接部とその近傍として、幅方向に３５〜７０ｍｍの範囲について、歩行時の脚の動きによるヨレや変形を防止することが好ましい。
【００１６】
〔請求項６記載の発明〕
前記圧搾溝は、前記第１前方圧搾部の前方に第２前方圧搾部及び第３前方圧搾部をこの順に有するとともに、前記第１後方圧搾部の後方に第２後方圧搾部及び第３後方圧搾部をこの順に有し、
前記第２前方圧搾部は、幅方向中央線に対して対称的に幅方向に延在しかつ前方に凸の一体的な曲線状の圧搾部であり、
前記第２後方圧搾部は、幅方向中央線に対して対称的に幅方向に延在しかつ後方に凸の一体的な曲線状の圧搾部であり、
前記第３前方圧搾部が、前記第１前方圧搾部の前方における前記くぼみ部を含む圧搾部であり、
前記第３後方圧搾部が、前記第１後方圧搾部の後方における前記くぼみ部を含む圧搾部である、請求項１〜５のいずれか１項に記載の生理用ナプキン。
【００１７】
（作用効果）
第１前方圧搾部より前方に、少なくとも２本の幅方向に延在する圧搾溝を設ける。排泄液は圧搾溝に沿って拡散するため、排泄口当接部より前方に流れた排泄液が当該圧搾部においてブロックされ、当該圧搾部より前方には流れにくくなる。また、圧搾溝を複数設けることにより、吸収体前方にコシをもたせることができ、これにより、前方のヨレを軽減することが可能となる。なお、前記の少なくとも２本の圧搾溝の幅方向の長さは、第１前方圧搾部と同程度の長さとすることが好ましい。
第１後方圧搾部より後方に、少なくとも２本の幅方向に延在する圧搾部を設ける。排泄口当接部より後方に流れた排泄液が当該圧搾部においてブロックされ、当該圧搾部より後方には流れにくくなる。また、圧搾溝を複数設けることにより、吸収体後方にコシをもたせることができ、これにより、後方のヨレを軽減することが可能となる。前記の少なくとも２本の圧搾溝の幅方向の長さは、第１後方圧搾部と同程度の長さとすることが好ましい。
【００１８】
〔請求項７記載の発明〕
前記圧搾溝は、前記第３前方圧搾部の前方に、幅方向中央線に対して対称的に幅方向に延在しかつ前方に凸の一体的な曲線状の第４前方圧搾部を有するとともに、前記第３後方圧搾部の後方に、幅方向中央線に対して対称的に幅方向に延在しかつ後方に凸の一体的な曲線状の第４後方圧搾部を有する、請求項６記載の生理用ナプキン。
【００１９】
【００２０】
〔請求項８記載の発明〕
前記第３前方圧搾部は、幅方向中央線の幅方向各側において前記第１前方圧搾部の直線状の部分と平行な接線を引き得る部分を含んでおり、前記第３後方圧搾部は、幅方向中央線の幅方向各側において前記第１後方圧搾部の直線状の部分と平行な接線を引き得る部分を含んでいる、請求項６又は７記載の生理用ナプキン。
【００２１】
【００２２】
〔請求項９記載の発明〕
前記圧搾溝は、排泄口当接部の幅方向外側の両側部に、長手方向に延在し、その長手方向中央近傍を頂点として幅方向中央側に湾曲する側方圧搾部を有する、請求項１〜８のいずれか１項に記載の生理用ナプキン。
【００２３】
（作用効果）
排泄口当接部の幅方向外側に圧搾溝を有することにより、幅方向外側から中央に向かってかかる脚圧を吸収し、排泄口当接部のヨレ、変形を防止することができる。
【００２４】
〔請求項１０記載の発明〕
前記第１前方圧搾部、第１後方圧搾部及び側方圧搾部が一体となって形成されている、請求項９記載の生理用ナプキン。
【００２５】
（作用効果）
排泄口当接部を囲むように、圧搾溝が設けられることにより、排泄口当接部から全方向に流れる排泄液をブロックすることができる。また、排泄口当接部を圧搾溝で囲むことにより、当該部分が周囲より盛り上がった中高部を形成し、排泄口にフィットする形状とすることができる。
【発明の効果】
【００２６】
以上に示したように、本発明によれば、着用者の歩行時の脚の動きによって生じる斜め方向の力によっても、排泄口当接部の吸収体のヨレや変形を生じず、モレの生じにくい生理用ナプキンを提供することが可能である。
【図面の簡単な説明】
【００２７】
【図１】本発明に係る生理用ナプキンの第１実施形態を示す上面図である。
【図２】図１のI−I矢視図である。
【図３】図１のII部分の拡大図である。
【図４】図１のIII部分の拡大図である。
【図５】第２実施形態を示す上面図である。
【図６】第３実施形態を示す上面図である。
【図７】他の実施形態を示す上面図である。
【図８】前方から見た着用者の股下の形状の模式図である。
【発明を実施するための形態】
【００２８】
次に、本発明の実施形態を、添付図面を参照しつつ説明する。なお、本発明において「前方」とは着用者が着用した際に、前側となる方であり、「後方」はその反対側を指す。「長手方向」とは、前後方向を指し、「幅方向」は前後方向に垂直な方向を指す。また、「上部」「上層」「表面」とは肌当接面側を指し、「下部」「下層」「裏面」とはその反対側を指すものとする。
【００２９】
〔第１実施形態〕
図１は本実施形態に係る生理用ナプキンとして、生理用ナプキンの実施形態の一例を示した展開図である。図２は図１のI−I線矢視図、図３は図１のII部分の拡大図、図４は図１のIII部分の拡大図である。生理用ナプキン１０の基本構造は、不織布よりなる透液性のトップシート１、吸収体３及びポリエチレンシート等の不透液性シートからなるバックシート２がこの順に積層され、さらに側部にサイド不織布５，５が配された構造である。
【００３０】
バックシート２としては、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。バックシート２としては、プラスチックフィルムと不織布とを積層させたポリラミ不織布を用いてもよい。
【００３１】
透液性トップシート１としては、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート１に多数の透孔を形成した場合には、排泄物が速やかに吸収されるようになり、ドライタッチ性に優れたものとなる。
【００３２】
トップシート１及びバックシート２は、吸収体３の前後方及び両側方で延出している。この延出部分において、トップシート１及びバックシート２は、ホットメルト等の接着剤やヒートシール等によって接合される。トップシート１及びバックシート２の延出は、前後方向中央部において幅方向に長くし、この長くなった部分で、肌着の裏側（外面側）に折り返されて止着される、いわゆるウィング状フラップＷが構成されている。
【００３３】
サイド不織布５としては、経血やおりもの等が浸透するのを防止する、あるいは肌触り感を高めるなどの目的に応じて、適宜の撥水処理または親水処理を施した不織布素材を用いることができる。かかるサイド不織布５としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３ｇ／ｍ2として作製された不織布を用いるのが望ましく、かつ体液の透過を確実に防止するためにシリコン系や、パラフィン系等の撥水剤などをコーティングした撥水処理不織布が好適に使用される。
【００３４】
トップシート１と吸収体３との間に不繊布等からなるセカンドシートを積層し、体液の拡散性向上を図ることもできる。さらに、両側部上に、体液の横モレ防止機能を有する起立ギャザーを設けてもよい。
【００３５】
サイド不織布５は、図１および図２に示されるように、幅方向中間部より外側部分を吸収体３の内側位置から吸収体側縁を若干越えて不透液性バックシート２の外縁までの範囲に亘ってホットメルトなどの接着剤によって接着されている。なお、サイド不織布５には、体液の横モレ防止機能を有する起立ギャザーを設けてもよい。
【００３６】
バックシート２の裏面側には、通常、ショーツ等の肌着に対する止着部Ｓ１が設けられる。また、ウィングフラップＷにも止着部Ｓ２が設けられる。この止着部Ｓ１，Ｓ２は、例えば、スチレン・ブタジエン共重合体やスチレン・オレフィン共重合体等からなる粘着剤を、前後方向に帯状に塗布して形成することができる。この止着部は、装着時において生理用ナプキン１０を肌着に止着するためのものであるが、本生理用ナプキン１０を需要者に提供する段階においては、個別包装のための剥離シートなどを止着しておくこともできる。この剥離シートは、ポリエチレンシート、ポリプロピレンシート、ポリエチレンテレフタレートシート、ラミネート紙、等からなり、止着部に対して剥離可能とされる。
【００３７】
吸収体３を構成する吸収体の素材としては、体液を吸収・保持し得るものであればいずれも使用でき、パルプ等の天然繊維の他、合成繊維を用いることもでき、または体液の吸収量を増やすために、吸水性ポリマーを用いたり、これらを適宜併用できる。合成繊維としては、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができ、これら２種を混合したものであってもよい。また、融点の高い繊維を芯とし融点の低い繊維を鞘とした芯鞘型繊維やサイドバイサイド型繊維、分割型繊維などの複合繊維も用いることができる。吸収体中に混合される合成繊維は、体液に対する親和性を有するように、疎水性繊維の場合には親水化剤によって表面処理したものを用いるのが望ましい。なお、通常は、フラッフ状パルプ中に吸水性ポリマー粉末を混入したものが吸収機能および価格の点から好適に使用される。
【００３８】
吸収体３は、その形状を保持するために、包装シート４で囲繞するのが望ましい。包装シート４は、透液性を有していれば、その素材は特に限定されないが、クレープ紙等の水解性シートを好適に使用できる。吸収体３はバックシート２に対して、ホットメルトなどの接着剤やヒートシール等の接着手段によって接合される。なお、本実施形態に係る生理用ナプキン１においては、吸収体３が包装シート４で囲繞される場合は、吸収体３とバックシート２とは、包装シート４を介して間接的に接合される。
【００３９】
本形態の生理用ナプキン１０の表面側には、トップシート１と吸収体３を一体化させる、複数の圧搾溝が配されている。排泄口に接する部分を取り囲むように、第１前方圧搾部１１、第１後方圧搾部１２、及び二つの側方圧搾部１３が設けられている。図示例においては、圧搾部１１、１２及び１３が一体として付されている。前記圧搾部１１、１２及び１３で囲繞された部分を、中央部ＣＬとする。
【００４０】
第１前方圧搾部１１の拡大図を図３、第１後方圧搾部１２の拡大図を図４に示す。第１前方圧搾部１１、第１後方圧搾部１２は、生理用ナプキン１０の幅方向中央線に対して対称な形状をしており、少なくとも一部は、長手方向外側から中央側へ向かうにつれて幅方向中央側から幅方向外側へと延在する直線状の部分を有し、いわゆる「ヘ」の字型または「ハ」の字型を呈する。当該直線状の部分が幅方向中央線Ｌに対して成す角度θ１，θ２は、３５〜６０度とする。特に４５〜６０度が好ましい。
【００４１】
第１前方圧搾部１１、第１後方圧搾部１２は、幅方向中央線において離間させず、左右一体とさせてもよく（いわゆる「へ」の字型）、左右を離間させてもよい（いわゆる「ハ」の字型）。左右を離間させる場合、圧搾部１１、１２の長さを一定以上確保するためには、その離間距離は０．１〜４．０ｍｍ程度とすることが好ましい。
【００４２】
側方圧搾部１３は、直線状または曲線状のいずれの形態をとってもよいが、幅方向中央に向かって凸な緩やかな曲線（高さ０．５〜４．０ｍｍが好適）とすると、幅方向外側から中央に向かう力が圧搾部において効率よく吸収されるため好ましい。
【００４３】
中央部ＣＬの長手方向の長さは、８０〜１２０ｍｍ、特に８０〜１００ｍｍとすることが好ましい。また、中央部ＣＬの幅方向の長さは、３５〜７０ｍｍ、特に４５〜６０ｍとすることが好ましい。中央部ＣＬを圧搾溝で囲繞する場合、この部分の吸収体を二層構造としてもよい。
【００４４】
圧搾溝は、中央部ＣＬの外部にも付与されている。第１前方圧搾部１１の外側前方には、前方に向かって凸な曲線状の第２前方圧搾部１４、さら前方には、同様に前方に向かって凸な曲線状の第３前方圧搾部１５が配されている。図示例においては、第１前方圧搾部１１と第２前方圧搾部１４が一体として形成されているが、離間させて設けてもよい。また、第３前方圧搾部１５は、第１前方圧搾部１１及び第２前方圧搾部１４より離間しているが、第１前方圧搾部１１及び／または第２前方圧搾部１４と一体として形成されてもよい。
【００４５】
第２前方圧搾部及び第３前方圧搾部の幅方向の長さは、３５〜７０ｍｍ、特に４５〜６０ｍｍとすることが好ましい。図８に、前方から見た着用者の股下の構造の模式化した図を示す。排泄口当接部の前方に圧搾溝がない場合、若しくは、幅方向の長さの小さい圧搾溝のみが配されている場合、図８（Ａ）に示すように、生理用ナプキンは前方から見て逆Ｖ字状となりやすく、この場合、幅方向両側部において、着用者の身体との間に大きな空隙を生じやすい。この空隙が、排泄液のモレの要因となりやすい。一方、排泄口当接部の前方に幅方向の長さの長い圧搾溝が配されている場合、圧搾溝の位置が身体の形状に沿わないため、やはり、逆Ｖ字状となりやすい（図８（Ｂ））。前方の圧搾溝を３５〜７０ｍｍとした場合、生理用ナプキンの前方側部は、身体の形状に沿って、当該圧搾溝の側端部において折れ曲がりやすく、図８（Ｃ）に示すように、下部に開口を有するコの字状となる。この場合、生理用ナプキンと身体の間に空隙は小さなものとなり、モレのおそれを軽減することができる。特に、前方から排泄口当接部にかけて、同等の幅で吸収体が折れるように圧搾溝が設けられていると、生理用ナプキンがさらに身体の形状にフィットしやすくなり、好適である。
【００４６】
第１前方圧搾部と第２前方圧搾部、第２前方圧搾部と第３前方圧搾部の前端同士の離間距離は、いずれも２０〜３０ｍｍ、特に２０〜２５ｍｍとすることが好ましい。第２、第３前方圧搾部は、恥骨の丸みに沿うような形状とすることが好ましい。
【００４７】
第１後方圧搾部１２の外側後方には、後方に向かって凸な曲線状の第２後方圧搾部１６が配されている。さらに後方において、後方に向かって凸な曲線状の第３後方圧搾部１７が配されている。図示例において、第３後方圧搾部は、その両側端から長手方向前方に延在する圧搾溝と一体として付与されており、第２後方圧搾部１６の三方を囲むように設けられている。図示例において、第１後方圧搾部、第２後方圧搾部、第３後方圧搾部はいずれも離間しているが、いずれか２つ、もしくは３つ全てを一体として付与してもよい。
【００４８】
第２後方圧搾部及び第３後方圧搾部の幅方向の長さは、３５〜７０ｍｍ、特に４５〜６０ｍｍとすることが好ましい。
【００４９】
第１後方圧搾部と第２後方圧搾部、第２後方圧搾部と第３後方圧搾部の後端同士の離間距離は、いずれも２０〜３０ｍｍ、特に２０〜２５ｍｍとすることが好ましい。第２、第３後方圧搾部は、臀部の動きに合わせて変形しやすい形状とすることが好ましい。
【００５０】
図示例において、第２、第３前方圧搾部と、第２、第３後方圧搾部の形状は、異なる形状で付与されている。これにより、着用者が、装着時に前後の視認を容易に行うことができる、という利点を有する。
【００５１】
〔第２実施形態〕
第２実施形態の生理用ナプキン２０の構造を図５に示す。
第２実施形態の生理用ナプキンは、第３前方圧搾部１５のさらに前方に第４前方圧搾部１８、第３後方圧搾部１７のさらに後方に第４後方圧搾部１９を有する。第４前方圧搾部１８及び第４後方圧搾部１９はともに、長手方向中央線に対して対称であり、かつそれぞれ前方、後方に凸な曲線状の圧縮溝である。
【００５２】
このように、前方及び後方にさらに圧縮溝を設けることで、排泄液の表面拡散防止効果を高めることができ、また、吸収体にコシをもたせて形状保持性を高めることができる。一方で、より多く圧縮溝を設けることにより、吸収体が固くなり、着用感を損なってしまう、という問題がある。そのため、前方圧搾部、後方圧搾部の数は、それぞれ３つまたは４つとすることが好ましい。
【００５３】
図示例においては、排泄口当接部の前方及び後方に、それぞれ４つの圧縮溝が設けられているが、前方が３つで後方が４つ、または、前方が４つで後方が３つとなるように配してもよい。
【００５４】
〔第３実施形態〕
第３実施形態の生理用ナプキン３０の構造を図６に示す。
第３実施形態において、第２、第３前方圧搾部１４，１５と、第２、第３後方圧搾部１６，１７とが同一の形状とされている。特に昼用の生理用ナプキンでは、前後の形状が全く同一であるタイプがあり、このようなタイプの生理用ナプキンにおいては、圧搾溝の形状に前後の差異を設けず、どちらを前としても装着できる形態としてもよい。
【００５５】
〔その他の実施形態〕
図７（Ａ）に示すように、中央部ＣＬを形成する、圧搾部１１、１２及び１３の間にそれぞれ３．０〜８．０ｍｍ程度の間隙を設けてもよい。
【００５６】
〔その他の参考形態〕
図７（Ｂ）に示すように、第２、第３前方圧搾部、第２、第３後方圧搾部を、それぞれ他の圧搾部から離間させた構造としてもよい。
【００５７】
図１〜９において、前後の形状がほぼ同一のウィングつき生理用ナプキンを図示例としているが、例えば夜用のウィングつき生理用ナプキンのように、前後の形状、長さが相違する場合においても、同様の圧縮溝を付与することで実施可能である。また、ウィングつきタイプに限らず適用可能である。
【産業上の利用可能性】
【００５８】
本発明は、生理用ナプキンとして利用可能である。
【符号の説明】
【００５９】
１０，２０，３０…生理用ナプキン、１…透液性トップシート、２…バックシート、３…吸収体、４…透液性シート、５…サイド不織布。
【図８】
0005782263.tif 000002
【図１】
0005782263.tif 000003
【図２】
0005782263.tif 000004
【図３】
0005782263.tif 000005
【図４】
0005782263.tif 000006
【図５】
0005782263.tif 000007
【図６】
0005782263.tif 000008
【図７】
0005782263.tif 000009